(57)【特許請求の範囲】
【請求項１】
水平な首部分とこの首部分より垂直に伸長する２つの胸部分を有する気嚢と、前記気嚢を包み込むための外被と、前記気嚢の首部分の外被側に取り付けられ、前記気嚢に気体を注入するためのボンベと、前記ボンベに接続し、かつボンベを作動させるための作動索とを有する救命胴衣において、前記気嚢は首部分及び胸部分の内側のみで前記外被に固定されており、前記首部分を内側方向に折曲可能になっており、前記作動索は救命胴衣の下部より外被の外側に伸長していることを特徴とする救命胴衣。
【請求項２】
前記作動索は気嚢に設けられたガイドによって下方に案内されていることを特徴とする請求項１記載の救命胴衣。
【発明の詳細な説明】
【０００１】
【発明の技術分野】
本発明は救命胴衣、さらに詳細には不慮の場合に容易に使用状態になり、かつ通常の作業で装着していても活動しやすい救命胴衣に関する。
【０００２】
【従来技術及び問題点】
従来、救命胴衣は、海難事故などを生じたときに、救命用具入れなどより取り出して装着することが多い。しかしながら、海難事故の種類によっては、そのような余裕がない場合があり、作業中なども、常に装着できるような簡易な救命胴衣が開発されてきている。このような常用の救命胴衣は、漁業、港湾作業用ばかりでなく、レジャー用、たとえば釣り、ジェットスキー、水上スキー、ヨット、ボートなどを行う場合に着用することも可能である。
【０００３】
上述のような常用の救命胴衣は、図３に示すように、首にかけるように形成され、かつ気体が入ることによって膨張可能な気嚢１を備えており、この気嚢１は首より後頭部にかけて当たる首部分１１及びこの首部分１１よりほぼ直角に胸から腹部分に伸長する２つの胸部分１２を有している。そして前記気嚢１の首部分１１の裏側には、圧縮ガスのボンベ２が備えられた構造になっている。このボンベ２は、入水した場合に、自動的に開放されて、気嚢１を膨張させる自動式になっている場合が多い。しかしながら、自動的に膨張する機構が故障することもあるため、作動索３を設けて、手動でも作動可能になっている。このような気嚢１は、図１に示すように外被４によって包まれた状態で装着するが、この作動索３は、補助的なものであるため、装着者の肩部分より外被４の外側に伸長している。
【０００４】
また、水中に入ったときに自動的に気嚢１が膨張する場合、水上スキーの場合のように、毎度水中に入るようなスポーツを行うとき、ボンベ２を毎回交換しなくてはならず、必ずしも便利ではない。
【０００５】
このため、手動式の常用の救命胴衣の開発が希求されている。この場合、作動索３は緊急時に、直ちに作動可能なように、救命胴衣の下方に伸長し、腕が下ろされた状態で、この作動索を引っ張るようにすることが好ましい。
【０００６】
しかしながら、従来、前記気嚢１は外被４に全周にわたって固定されており（図３の固定線Ｓ参照）、作動索３を下方に伸長させることは困難で、前述のように横方向に伸長させて肩部分より外被４の外側に出す以外になかった。
【０００７】
本発明は上述の点に鑑みなされたものであり、手動で作動させる救命胴衣であって、作動索が下方に伸長して、腕を上げることなく、容易に作動可能な救命胴衣を提供することを目的とする。
【０００８】
【問題点を解決するための手段】
上記問題点を解決するため、本発明による救命胴衣は、水平な首部分とこの首部分より垂直に伸長する２つの胸部分を有する気嚢と、前記気嚢を包み込むための外被と、前記気嚢の首部分の外被側に取り付けられ、前記気嚢に気体を注入するためのボンベと、前記ボンベに接続し、かつボンベを作動させるための作動索とを有する救命胴衣において、前記気嚢は首部分及び胸部分の内側のみで前記外被に固定されており、前記首部分を内側方向に折曲可能になっており、前記作動索は救命胴衣の下部より外被の外側に伸長していることを特徴とする。
【０００９】
本発明によれば、気嚢は内側部分で、外被に固定されており、首部分を内側方向に折曲可能になっている。このため作動索を下方に伸長させることが可能になり、腕を上げることなく救命胴衣を膨張させることが可能になる。
【００１０】
【実施例】
図１は本発明の一実施例の外被にくるまれた救命胴衣の正面図であり、図２は外被を開いたときの正面図であるが、図１及び図２より明らかなように、本発明による救命胴衣は、首にかけるように形成され、かつ気体が入ることによって膨張可能な気嚢１を備えており、この気嚢１は首より後頭部にかけて当たる首部分１１及びこの首部分１１よりほぼ直角に胸から腹部分に伸長する２つの胸部分１２を有している。そして前記気嚢１の首部分１１の裏側には、圧縮ガスのボンベ２が備えられた構造になっている。
【００１１】
前記気嚢１を包み込むための外被４は、気嚢１の外側に、気嚢１よりも若干大きめに設けられており、前記気嚢１は気嚢１の首部分１１，胸部分１２の内側部分（装着者の首側；図２の固定線Ｓ参照）のみで固定されている。すなわち気嚢１の外側部分は、固定されておらず、フリーの状態になっている。
【００１２】
作動索３の一端はボンベ２のカッター部分２１に接続しており、他端には装着者が握って引っ張るための握持部３２が設けられている。そして、前記作動索３は輪状のガイド３３を貫通して下方に伸長しており、救命胴衣の下部より外被４の外側に突出している（突出側に握持部３２が設けられている）。
【００１３】
なお、５は装着者の胴に救命胴衣を固定するための胴ベルトであり、６は装着者に救命胴衣をフィットさせるための補助ベルトである。
【００１４】
このような救命胴衣を使用する場合には、図２に示すように、気嚢１の首部分１１を内側方向に折り曲げ、このような状態で外被４を折り曲げて、気嚢１を外被４で包み込み、外被内側に設けられた面ファスナーなどにより固定し、図１のような状態にする。胸部分１２が胸を下方に伸長し、首部分１１が首の後ろになるように、外被４によってくるまれた救命胴衣を装着するとともに、胴ベルト５を緊締して装着者に固定する。
【００１５】
このように救命胴衣を装着すると、作動索３の握持部３２が設けられた端部は外被４の外側に、かつ救命胴衣の下部より突出する。
【００１６】
この作動索３を引っ張ると、ボンベ２のカッター部分２１を引っ張ることになり、ボンベ２が作動して、前記気嚢１中に圧縮気体(たとえば炭酸ガス）を注入する。気嚢１が膨張するに伴って、面ファスナーは開放されることになるため、外被４が開いて気嚢１が露出する。
【００１７】
【発明の効果】
以上説明したように、本発明の救命胴衣においては、気嚢は内側部分で、外被に固定されており、首部分を内側方向に折曲可能になっている。このため作動索を下方に伸長させることが可能になり、腕を上げることなく救命胴衣を膨張させることが可能になる。また、外被と気嚢は内側部分でのみ固定されているため、外被に熱転写印刷などを行う場合に、前記気嚢に熱を付加することなく、印刷可能であり、気嚢を劣化させるおそれがないという利点も生じる。
【図面の簡単な説明】
【図１】本発明の救命胴衣の外被で包んだときの正面図。
【図２】本発明の救命胴衣の外被を開いたときの正面図。
【図３】従来の救命胴衣の外被を開いたときの正面図。
【符号の説明】
１            気嚢
１１            首部分
１２            胸部分
２            ボンベ
３            作動索
４            外被
【図１】
0004705735.tif 000002
【図２】
0004705735.tif 000003
【図３】
0004705735.tif 000004